【手続補正書】
【提出日】平成23年6月3日(2011.6.3)
【手続補正１】
【補正対象書類名】特許請求の範囲
【補正対象項目名】全文
【補正方法】変更
【補正の内容】
【特許請求の範囲】
【請求項１】
複数の物品を保持するパッケージであって、該パッケージは、
少なくとも部分的に該パッケージの内側の周りに延在するパネルであって、該パネルは、トップパネルと、該トップパネルに折り曲げ可能に接続された少なくとも１つのサイドパネルとを含む、パネルと、
該物品の１つの少なくとも一部を少なくとも部分的に受け入れる該トップパネルの少なくとも１つの開口部と、
該トップパネルのハンドル開口部と、
第１のハンドル部分及び第２のハンドル部分を備えるハンドルであって、該第１のハンドル部分は少なくとも２つのハンドルパネルを備え、該第２のハンドル部分は、該少なくとも２つのハンドルパネルの一方に折り曲げ可能に接続された第１の下側ハンドルパネルと、該少なくとも２つのハンドルパネルの他方に折り曲げ可能に接続された第２の下側ハンドルパネルとを備え、
少なくとも該第１のハンドル部分は、該パッケージを把持して運搬するのに用いられるように該ハンドル開口部に対して位置決めされ、少なくとも該第２のハンドル部分は、該トップパネルの内側表面と少なくとも部分的に接触し、
該第１のハンドル部分は一対のタックインパネルを備え、それぞれの該タックインパネルは該少なくとも２つのハンドルパネルの一方にそれぞれ折り曲げ可能に接続され、それぞれの該タックインパネルは互いに折り曲げ可能に接続される、ハンドルと、
を備える、複数の物品を保持するパッケージ。
【請求項２】
該第１のハンドル部分は、該ハンドル開口部に挿入されて該トップパネルから上方に延在する、請求項１に記載のパッケージ。
【請求項３】
該トップパネルは、該ハンドル開口部に隣接するフラップを備える、請求項１に記載のパッケージ。
【請求項４】
該第１のハンドル部分は、ハンドル孔部を有する少なくとも１つのハンドルパネルを備える、請求項１に記載のパッケージ。
【請求項５】
該第１の下側ハンドルパネルと第２の下側ハンドルパネルのそれぞれには、物品を少なくとも部分的に受け入れる孔部を備える、請求項４に記載のパッケージ。
【請求項６】
該少なくとも２つのハンドルパネルは折り曲げ可能に接続され、ほぼ向かい合わせに接触する２つのハンドルパネルを備える、請求項５に記載のパッケージ。
【請求項７】
複数の物品を保持して、ハンドルを備えるパッケージを形成するブランクであって、該ブランクは、
該パッケージを形成する第１のブランクであって、該第１のブランクは、トップパネルと、該トップパネルに折り曲げ可能に接続された少なくとも１つのサイドパネルと、該物品の１つの少なくとも一部を少なくとも部分的に受け入れる該トップパネルの少なくとも１つの開口部と、該トップパネルのハンドル開口部とを備える、第１のブランクと、
該ハンドルを形成する第２のブランクであって、該第２のブランクは、該パッケージを把持して運搬するのに用いられるように該ハンドル開口部に対して位置決めされるようになっている第１のハンドル部分と、該トップパネルの内側表面と少なくとも部分的に接触するようになっている第２のハンドル部分とを備え、該第１のハンドル部分は、ハンドル孔部を有する少なくとも２つのハンドルパネルを備え、該第２のハンドル部分は、該少なくとも２つのハンドルパネルの一方に折り曲げ可能に接続された第１の下側ハンドルパネルと、該少なくとも２つのハンドルパネルの他方に折り曲げ可能に接続された第２の下側ハンドルパネルとを備え
該第１のハンドル部分は一対のタックインパネルを備え、それぞれの該タックインパネルは該少なくとも２つのハンドルパネルの一方にそれぞれ折り曲げ可能に接続され、それぞれの該タックインパネルは互いに折り曲げ可能に接続される、第２のブランクと、
を備える、複数の物品を保持して、ハンドルを備えるパッケージを形成するブランク。
【請求項８】
該第１のブランクは、該ハンドル開口部に隣接するフラップを備える、請求項７に記載のブランク。
【請求項９】
該第１の下側ハンドルパネルと第２の下側ハンドルパネルは、物品を少なくとも部分的に受け入れる孔部をそれぞれに備え、該少なくとも２つのハンドルパネルは折り曲げ可能に接続される、請求項７にブランク。
【請求項１０】
該第１のブランクは、該サイドパネルと、該トップパネルに折り曲げ可能に接続された少なくとも１つの端部パネルとを備え、該端部パネルと該サイドパネルは端部ウェブに折り曲げ可能に接続され、該端部ウェブは、ラップアラウンド下側パネルと、該サイドパネルに折り曲げ可能に接続されたコーナパネルとを備える、請求項７に記載のブランク。
【請求項１１】
複数の物品を保持するパッケージのトップパネルのハンドル開口部に対する位置にハンドルを形成するハンドルブランクであって、該ハンドルブランクは、
ハンドル孔部を有する少なくとも２つのハンドルパネルを備える第１のハンドル部分であって、該少なくとも２つのハンドルパネルは、該パッケージを把持して運搬するのに用いられる該ハンドル開口部に対して位置決めされるようになっている、第１のハンドル部分と、
該トップパネルの内側表面と少なくとも部分的に接触するようになっている第２のハンドル部分であって、該第２のハンドル部分は、該少なくとも２つのハンドルパネルの一方に折り曲げ可能に接続された第１の下側ハンドルパネルと、該少なくとも２つのハンドルパネルの他方に折り曲げ可能に接続された第２の下側ハンドルパネルとを備え、
該第１のハンドル部分は一対のタックインパネルを備え、それぞれの該タックインパネルは該少なくとも２つのハンドルパネルの一方にそれぞれ折り曲げ可能に接続され、それぞれの該タックインパネルは互いに折り曲げ可能に接続される、第２のハンドル部分と、
を備える、複数の物品を保持するパッケージのトップパネルの開口部に対する位置にハンドルを形成するハンドルブランク。
【請求項１２】
該第１の下側ハンドルパネルと第２の下側ハンドルパネルは、物品を少なくとも部分的に受け入れる孔部をそれぞれに備え、該少なくとも２つのハンドルパネルは折り曲げ可能に接続される、請求項１１に記載のハンドルブランク。
【請求項１３】
複数の物品を保持するパッケージを形成する方法であって、該方法は、
パッケージブランクを得ることであって、該パッケージブランクは、トップパネルと、該トップパネルに折り曲げ可能に接続された少なくとも１つのサイドパネルと、該物品の１つの少なくとも一部を少なくとも部分的に受け入れる該トップパネルの少なくとも１つの開口部と、該トップパネルの細長いハンドル開口部とを備える、パッケージブランクを得ること、
該ブランクに対して複数の物品を位置決めすること、
該ブランクに対してハンドルを位置決めすることであって、該ハンドルは第１のハンドル部分と第２のハンドル部分とを含み、該第１のハンドル部分は少なくとも２つのハンドルパネルを備え、該第２のハンドル部分は、該少なくとも２つのハンドルパネルの一方に折り曲げ可能に接続された第１の下側ハンドルパネルと、該少なくとも２つのハンドルパネルの他方に折り曲げ可能に接続された第２の下側ハンドルパネルとを備え、
該第１のハンドル部分は一対のタックインパネルを備え、それぞれの該タックインパネルは該少なくとも２つのハンドルパネルの一方にそれぞれ折り曲げ可能に接続され、それぞれの該タックインパネルは互いに折り曲げ可能に接続される、ハンドルを位置決めすること、
とを含み、該ハンドルを位置決めすることは、該パッケージを把持して運搬するのに用いられるように該ハンドル開口部に対して該第１のハンドル部分を位置決めすることと、該トップパネルの内側表面と少なくとも部分的に接触するように該第２のハンドル部分を位置決めすることとを含む、複数の物品を保持するパッケージを形成する方法。
【請求項１４】
該ハンドルを位置決めすることは、該第１のハンドル部分が該トップパネルから上方に延在するように該ハンドル開口部に該第１のハンドル部分を挿入することを含む、請求項１３に記載の方法。
【請求項１５】
該第１の下側ハンドルパネルと該第２の下側ハンドルパネルのそれぞれは、物品を少なくとも部分的に受け入れる孔部を備え、該ハンドルを位置決めすることは、該物品の少なくとも１つが該孔部に受け入れられるように該下側ハンドルパネルを位置決めすることを含む、請求項１３に記載の方法。
【請求項１６】
該少なくとも２つのハンドルパネルは折り曲げ可能に接続され、該ハンドルを位置決めすることは、該少なくとも２つのハンドルパネルをほぼ向かい合わせに接触させ、それぞれの該タックインパネルを該少なくとも２つのハンドルパネルの一方とそれぞれ向かい合わせに接触させることを含む、請求項１５に記載の方法。